(57)【要約】【課題】中断したセキュリティプリントジョブの処理を自動的に再開することのないネットワークプリンタを提供することを課題とする。【解決手段】ネットワーク複合機１が、電源を強制的に切られた後で再起動する。ネットワーク複合機１の再起動後、プリンタ部１４が初期化を実行する（ステップＳ３１）。印刷ジョブ管理部１１３が、スプールされている印刷ジョブを確認する（ステップＳ３２）。処理が中断したセキュリティプリントジョブ（中断ジョブ）がある場合（ステップＳ２３おいてＹｅｓ）、印刷ジョブ管理部１１３は、中断ジョブを印刷ジョブメモリ１１２から削除する（ステップＳ３５）。メール部１５は、中断ジョブを送信したユーザに対して、中断ジョブを削除したことを示す削除メッセージをメールで送信する（ステップＳ３６）。【選択図】図４
2011063027.tif 000002
【特許請求の範囲】
【請求項１】
ユーザからの入力を受け付ける操作部と、
照合情報と対応付けられた印刷ジョブを記憶する記憶部と、
前記照合情報と一致する印刷指示情報が前記操作部から入力された場合、前記印刷ジョブの処理を指示する印刷ジョブ管理部と、
前記印刷ジョブ管理部の指示に基づいて、前記記憶部に記憶された前記印刷ジョブを処理して印刷する印刷部と、
を備え、
前記印刷部が前記印刷ジョブを処理している時に、電源が強制的に切られた場合、前記印刷ジョブ管理部は、前記電源の復帰後に前記印刷部に前記印刷ジョブの処理の停止を指示し、前記印刷ジョブを前記記憶部から削除することを特徴とするネットワークプリンタ。
【請求項２】
請求項１に記載のネットワークプリンタにおいて、さらに、
前記電源の復帰後に、前記印刷ジョブが削除されたことを、前記印刷ジョブを送信したユーザに通知する通知部、
を備えることを特徴とするネットワークプリンタ。
【発明の詳細な説明】
【技術分野】
【０００１】
本発明は、セキュリティプリント機能を有するネットワークプリンタに関する。
【背景技術】
【０００２】
従来から、セキュリティプリントと呼ばれる印刷機能を有するネットワークプリンタが存在する。セキュリティプリントでは、たとえば、パスワードなどの認証情報が付加された印刷ジョブ（セキュリティプリントジョブ）が用いられる。ネットワークプリンタは、セキュリティプリントを実行する際、受信したセキュリティプリントジョブを直ちに処理するのではなく、メインメモリなどに蓄積する。蓄積されたセキュリティプリントジョブは、印刷ジョブに付加されたパスワードと、ユーザによって操作パネルから入力されたパスワードとが一致した場合、印刷された文書（印刷文書）として出力される。
【０００３】
通常プリントの場合、ネットワークプリンタは、印刷ジョブを受信した順に処理して、印刷文書を出力する。このため、出力された印刷文書をユーザが取りに行くまでの間、他人に印刷文書を見られるおそれがある。セキュリティプリントは、機密性の高いデータなどを印刷文書として出力する際に用いられる。つまり、セキュリティプリントでは、ユーザがネットワークプリンタの前にいる状態で印刷文書が出力されるため、データの機密性を確保することができる。
【０００４】
セキュリティプリント機能を有する印刷装置が、たとえば、特許文献１に開示されている。特許文献１が開示する印刷装置は、中断の原因が取り除かれた後に中断したセキュリティプリントジョブの処理を再開させる際に、認証処理を再度要求する。中断の原因は、たとえば、紙詰まりあるいは用紙切れなどである。これにより、ユーザがネットワークプリンタの前から離れている間に中断の原因が取り除かれることによって、印刷装置がセキュリティプリントジョブの処理を自動的に再開することを防いでいる。
【先行技術文献】
【特許文献】
【０００５】
【特許文献１】特許第３８４０２４４号公報
【発明の概要】
【発明が解決しようとする課題】
【０００６】
上述したように、特許文献１が開示する印刷装置は、中断の原因が取り除かれた後でセキュリティプリントジョブの処理を再開するための認証処理を行う。しかしながら、特許文献１が開示する印刷装置は、セキュリティプリントジョブの処理の中断を認識できないことがある。たとえば、停電などにより、印刷装置の電源が強制的に切られた場合である。この場合、特許文献１が開示する印刷装置は、紙詰まりを検知するセンサあるいは印刷用紙の有無を検知するセンサなどによって、セキュリティプリントジョブの処理の中断を検知することができない。このため、セキュリティプリントジョブの処理が中断した状態で印刷装置を再起動させた場合、印刷装置は、認証処理を行うことなくセキュリティプリントジョブの処理を自動的に再開するおそれがある。
【０００７】
印刷装置が再起動した際に、セキュリティプリントジョブを送信したユーザが印刷装置の前にいるとは限らない。このため、再起動した後で、印刷装置が中断していたセキュリティプリントジョブの処理が自動的に再開された場合、セキュリティプリントジョブによって出力される印刷文書の機密性が確保できないという問題があった。
【０００８】
そこで、本発明は前記問題点に鑑み、電源が強制的に切られたために中断したセキュリティプリントジョブの処理を、自動的に再開することのないネットワークプリンタを提供することを目的とする。
【課題を解決するための手段】
【０００９】
上記課題を解決するため、請求項１記載の発明は、ネットワークプリンタであって、ユーザからの入力を受け付ける操作部と、照合情報と対応付けられた印刷ジョブを記憶する記憶部と、前記照合情報と一致する印刷指示情報が前記操作部から入力された場合、前記印刷ジョブの処理を指示する印刷ジョブ管理部と、前記印刷ジョブ管理部の指示に基づいて、前記記憶部に記憶された前記印刷ジョブを処理して印刷する印刷部と、を備え、前記印刷部が前記印刷ジョブを処理している時に、電源が強制的に切られた場合、前記印刷ジョブ管理部は、前記電源の復帰後に前記印刷部に前記印刷ジョブの処理の停止を指示し、前記印刷ジョブを前記記憶部から削除することを特徴とする。
【００１０】
請求項２記載の発明は、請求項１に記載のネットワークプリンタにおいて、さらに、前記電源の復帰後に、前記印刷ジョブが削除されたことを、前記印刷ジョブを送信したユーザに通知する通知部、を備えることを特徴とする。
【発明の効果】
【００１１】
本発明に係るネットワークプリンタにおいて、記憶部が照合情報と対応付けられた印刷ジョブを記憶し、照合情報と一致する印刷指示情報が入力された場合、印刷ジョブ管理部が記憶部に記憶された印刷ジョブの処理を印刷部に指示する。そして、電源が強制的に切られることによって印刷部の処理が中断された場合、印刷ジョブ管理部は、再起動後に印刷ジョブの処理の停止を指示し、印刷ジョブの処理が停止された後に印刷ジョブを削除する。
【００１２】
これにより、本発明に係るネットワークプリンタは、電源が強制的に切られた時に中断した印刷ジョブの処理が自動的に再開されることを防ぐことができるため、セキュリティプリントにおけるデータの機密性を確保することできる。
【００１３】
また、電源が強制的に切られたために印刷ジョブが削除されたことを、印刷ジョブを送信したユーザに通知する通知部を有することによって、印刷ジョブの処理が削除されたことを確実にユーザに通知することができる。
【図面の簡単な説明】
【００１４】
【図１】第１の実施の形態に係るネットワーク複合機の構成を含むネットワークシステムの構成図である。
【図２】第１の実施の形態に係るネットワーク複合機における、セキュリティプリントの動作を示すフローチャートである。
【図３】第１の実施の形態に係るネットワーク複合機が再起動したときの動作を示すフローチャートである。
【図４】第２の実施の形態に係るネットワーク複合機が再起動したときの動作を示すフローチャートである。
【発明を実施するための形態】
【００１５】
｛第１の実施の形態｝
以下、図面を参照しつつ本発明の第１の実施の形態について説明する。ここでは、ネットワークプリンタの一例として、ネットワーク複合機を例にして説明する。図１は、本実施の形態における、ネットワーク複合機１の構成を含むネットワークシステムの構成図である。図１に示すネットワークシステムは、ネットワーク複合機１と、複数のパーソナルコンピュータ（ＰＣ）２，２・・・とがローカルエリアネットワーク（ＬＡＮ）３に接続された構成となっている。
【００１６】
まず、ネットワーク複合機１の構成について説明する。ネットワーク複合機１は、制御部１１と、操作部１２と、タッチパネル式ディスプレイ１３と、プリンタ部１４と、メール部１５と、記憶部１６と、通信部１７とを備える。なお、図１に示すネットワーク複合機１では、本実施の形態の説明で必要な機能部のみを示しており、スキャナ部、コピー部およびファックス部などの表示を省略している。
【００１７】
制御部１１は、マイクロプロセッサ、メインメモリ（ＲＡＭ）などを含み、ネットワーク複合機１の全体制御を行う。また、制御部１１は、ユーザ情報管理部１１１と、印刷ジョブメモリ１１２と、印刷ジョブ管理部１１３とを有する。
【００１８】
操作部１２は、ネットワーク複合機１に対する各種の指示を入力するためのハードウェアキーなどで構成される。タッチパネル式ディスプレイ１３は、ネットワーク複合機１に関する情報表示、および各種の操作メニューを表示する。ユーザは、操作部１２およびタッチパネル式ディスプレイ１３（以下、「本体操作部」という）を利用して、ネットワーク複合機１の各種操作をすることが可能である。
【００１９】
プリンタ部１４は、ネットワークプリンタとして機能する。すなわち、プリンタ部１４は、ＰＣ２，２・・・から送信された印刷ジョブを処理して、印刷文書を出力する。印刷ジョブは、元データから変換された印刷用の画像データ（以下、単に「画像データ」という）、元データのファイル名およびプリンタ部１４を制御するための制御コマンドなどを含む。なお、画像データは、出力する印刷文書のページに対応して作成される。
【００２０】
メール部１５は、セキュリティプリントジョブの処理が中断されたことを、セキュリティプリントジョブを送信したユーザに通知するためのメッセージを作成し、通信部１７からメールで送信する。記憶部１６は、ハードディスク装置（ＨＤＤ）などで構成される。記憶部１６には、各ユーザに割り当てられるユーザフォルダが作成される。
【００２１】
通信部１７は、ＬＡＮ３に接続された各コンピュータとの間で、ＴＣＰ／ＩＰなどのプロトコルを利用してデータの送受信を行う。
【００２２】
次に、制御部１１が有する各機能部について説明する。ユーザ情報管理部１１１は、ネットワーク複合機１を使用するユーザを認証するためのユーザ管理情報を保持している。ユーザ管理情報には、各ユーザに付与されたユーザＩＤ、パスワード、および各ユーザのメールアドレスが記録されている。以下の説明において、ユーザＩＤおよびパスワードを認証情報と呼ぶ。ユーザ情報管理部１１１は、たとえば、ユーザが本体操作部を操作してネットワーク複合機１を使用する場合、あるいはユーザがＰＣ２を操作して記憶部１６に作成されたユーザフォルダにアクセスする場合などに、ユーザに認証情報の入力を要求する。これにより、ユーザ情報管理部１１１は、ネットワーク複合機１を使用するユーザを管理することができる。
【００２３】
印刷ジョブメモリ１１２は、フラッシュメモリなどの不揮発性メモリで構成されており、ＰＣ２，２・・・から送信された印刷ジョブをスプールする。このため、印刷ジョブメモリ１１２は、停電などによりネットワーク複合機１の電源が強制的に切られた場合でも、スプールした印刷ジョブを保持することができる。
【００２４】
印刷ジョブ管理部１１３は、印刷ジョブメモリ１１２にスプールされた印刷ジョブを管理する。印刷ジョブ管理部１１３は、通常プリントの印刷ジョブをスプールした順番でプリンタ部１４に処理させる。また、印刷ジョブ管理部１１３は、セキュリティプリントジョブの処理を開始する指示（出力指示）が入力されるまで、セキュリティプリントジョブのスプールを継続する。
【００２５】
次に、ＰＣ２，２・・・について説明する。ＰＣ２，２・・・には、ネットワーク複合機１のプリンタ部１４を制御するプリンタドライバ２１がそれぞれインストールされている。プリンタドライバ２１は、ユーザが印刷を指示したデータ（元データ）を画像データに変換して印刷ジョブを生成する。生成された印刷ジョブは、ネットワーク複合機１に送信される。
【００２６】
以下、図１に示す構成を有するネットワーク複合機１における、セキュリティプリントの動作について説明する。まず、図２を用いて、セキュリティプリント実行時のネットワーク複合機１の動作の概要を説明する。
【００２７】
図２は、セキュリティプリント実行時のネットワーク複合機１の動作を示すフローチャートである。まず、図２に示すように、ネットワーク複合機１がセキュリティプリントジョブを受信する（ステップＳ１１）。具体的には、ユーザが、セキュリティプリントジョブの作成をＰＣ２に指示する。これにより、プリンタドライバ２１は、ブラウザなどを起動して、ネットワーク複合機１にログインするための認証情報の入力をユーザに要求する。入力された認証情報は、ネットワーク複合機１に送信される。
【００２８】
ネットワーク複合機１のユーザ情報管理部１１１は、ＰＣ２から送信された認証情報が正しいと判断した場合、ユーザがネットワーク複合機１にログインしたことをプリンタドライバ２１に通知する。プリンタドライバ２１は、ログインの通知を受けて、ユーザの認証情報と対応付けたセキュリティプリントジョブを作成し、ネットワーク複合機１に送信する。
【００２９】
ステップＳ１１に示す処理後、印刷ジョブ管理部１１３は、受信したセキュリティプリントジョブを待機ジョブとして印刷ジョブメモリ１１２にスプールする。待機ジョブは、入力された認証情報と対応付けられた状態で保存される。
【００３０】
次に、ユーザが、本体操作部を操作して、待機ジョブに対する出力指示を入力する。具体的には、ユーザは、本体操作部を操作してネットワーク複合機１にログインする。印刷ジョブ管理部１１３は、ユーザのログインを確認後、タッチパネル式ディスプレイ１３にログインしたユーザの認証情報に対応する待機ジョブの一覧を表示させる。ユーザは、表示された一覧から、出力する待機ジョブを選択して出力指示を入力する。
【００３１】
出力指示が入力された場合（ステップＳ１２においてＹｅｓ）、プリンタ部１４は、出力指示のあったセキュリティプリントジョブを処理して印刷文書を出力する（ステップＳ１３）。印刷文書の出力後、出力指示のあったセキュリティプリントジョブは削除される。なお、ステップＳ１３において、プリンタ部１４は、セキュリティプリントジョブの処理中に、印刷が終了した画像データに対応するページ番号を印刷ジョブ管理部１１３に通知する。これにより、印刷ジョブ管理部１１３は、処理が終了したページ数（出力ページ数）を、出力指示のあったセキュリティプリントジョブと対応付けて記録する。
【００３２】
スプール中の待機ジョブが他にもある場合（ステップＳ１４においてＹｅｓ）、ネットワーク複合機１は、ステップＳ１２に示す処理に戻る。一方、スプール中の待機ジョブがない場合（ステップＳ１４においてＮｏ）、ネットワーク複合機１は、図２に示す処理を終了する。
【００３３】
次に、ネットワーク複合機１が再起動した際の動作について詳しく説明する。ここで、再起動とは、セキュリティプリントジョブの処理（図２に示すステップＳ１３）中にネットワーク複合機１の電源が強制的に切られた後で、再度電源が投入されることをいう。たとえば、停電あるいは電源コードをユーザが誤って抜くことなどによって、ネットワーク複合機１の電源が強制的に切られる。
【００３４】
図３は、ネットワーク複合機１が再起動した際の、セキュリティプリントジョブの処理を示すフローチャートである。まず、ネットワーク複合機１が、ユーザの操作により再起動する。再起動の操作を行うユーザは、誰であってもよい。再起動後、プリンタ部１４が、初期化を実行する（ステップＳ２１）。これにより、自動的に印刷ジョブの処理が再開されることを防止する。
【００３５】
次に、印刷ジョブ管理部１１３が、印刷ジョブメモリ１１２にスプールされている印刷ジョブを確認する（ステップＳ２２）。印刷ジョブ管理部１１３は、通常プリントの印刷ジョブを削除し、セキュリティプリントジョブのスプールを継続する。また、印刷ジョブ管理部１１３は、電源が強制的に切られることによって処理が中断されたセキュリティプリントジョブ（以下、「中断ジョブ」という）が発生しているか確認する（ステップＳ２３）。具体的には、印刷ジョブ管理部１１３は、印刷ジョブメモリ１１２にスプールされているセキュリティプリントジョブのうち、出力ページ数が対応付けて記録されているセキュリティプリントジョブを中断ジョブとして認識する。
【００３６】
中断ジョブが発生していない場合（ステップＳ２３においてＮｏ）、ネットワーク複合機１は、図３に示す処理を終了し、ステップＳ１４（図２参照）に示す処理を実行する。一方、中断ジョブが発生している場合（ステップＳ２３おいてＹｅｓ）、メール部１５は、中断ジョブの発生を示す中断メッセージを作成し、中断メッセージをメールで送信する（ステップＳ２４）。メールの送信先は、中断ジョブを送信したユーザのメールアドレスとなる。また、中断メッセージの内容は、中断ジョブが発生した旨が記載された文章の他に、元データのファイル名、中断ジョブの削除時刻、および出力が完了したページ数などである。メール部１５が中断メッセージを送信した後、ネットワーク複合機１は、コピージョブなどの他のジョブを実行することができる。
【００３７】
中断ジョブを送信したユーザは、中断メッセージの内容を確認した後で、本体操作部を操作して中断ジョブの再開指示を入力する。なお、中断ジョブの再開指示の入力手順は、待機ジョブの出力指示の入力手順と同じである。すなわち、ユーザが本体操作部を操作してネットワーク複合機１にログインした際に、中断ジョブおよび待機ジョブの一覧がタッチパネル式ディスプレイ１３に表示される。ユーザは、表示された一覧のうち、中断ジョブを選択して再開指示を入力する。
【００３８】
中断ジョブに対する再開指示の入力があった場合（ステップＳ２５においてＹｅｓ）、プリンタ部１４は、中断ジョブの処理を再開する（ステップＳ２６）。このとき、プリンタ部１４は、印刷ジョブ管理部１１３を介して中断ジョブの出力ページ数を取得し、印刷が中断したページから中断ジョブの処理を再開する。セキュリティプリントジョブに含まれる全ての画像データが印刷文書として出力された後で、ネットワーク複合機１は、図３に示す処理を終了し、ステップＳ１４（図２参照）に示す処理を実行する。なお、中断ジョブの処理を再開した後も、印刷ジョブ管理部１１３は、処理中のセキュリティプリントジョブの出力ページ数を記録する。
【００３９】
このように、本実施の形態に係るネットワーク複合機１は、電源が強制的に切られることに伴い中断ジョブが発生した場合、プリンタ部１４を初期化し、中断ジョブの発生を示す中断メッセージを、中断ジョブを送信したユーザにメールで送信する。ユーザは、中断メッセージの確認後、本体操作部を操作して中断ジョブの処理の再開を指示する。これにより、中断ジョブを送信したユーザがネットワーク複合機１の前にいる状態で中断ジョブの処理が再開される。したがって、本実施の形態に係るネットワーク複合機１は、再起動時にセキュリティプリントジョブの処理が自動的に再開されることを防止できるため、元データの機密性を確保することできる。
【００４０】
なお、本実施の形態において、中断ジョブに対する再開指示が入力されない状態が一定の時間継続した場合、印刷ジョブ管理部１１３は、中断ジョブを削除してもよい。
【００４１】
また、本実施の形態において、印刷が中断したページから中断ジョブの処理を再開する場合を例として説明したが、これに限られない。たとえば、印刷ジョブ管理部１１３は、印刷ジョブメモリ１１２に記録される出力ページ数を初期化し、中断ジョブの処理を最初からやり直してもよい。
【００４２】
また、本実施の形態において、メール部１５が中断メッセージをメールで送信する場合を例として説明したが、これに限られない。たとえば、中断ジョブを送信したユーザのメールアドレスが登録されていない場合、あるいはメールを送信できない場合などに、メール部１５は、中断ジョブを送信したユーザのユーザフォルダ１６１に中断メッセージを保存してもよい。この場合、中断ジョブを送信したユーザがユーザフォルダ１６１にアクセスした時に、ネットワーク複合機１が、中断メッセージが保存されたことをユーザに通知する。
【００４３】
また、本実施の形態において、メール部１５が中断メッセージをメールで送信する場合を例として説明したが、これに限られない。たとえば、中断ジョブを送信したユーザが本体操作部を操作してネットワーク複合機１にログインした際に、ユーザ情報管理部１１１が中断ジョブの発生を示すポップアップをタッチパネル式ディスプレイ１３に表示させてもよい。あるいは、中断ジョブを送信したユーザがブラウザを介してネットワーク複合機１にログインした際に、ユーザ情報管理部１１１が中断ジョブの発生を示すポップアップをブラウザ上に表示させてもよい。この場合、ポップアップに表示される内容は、中断ジョブが発生したことが記載された文章および元データのファイル名などが含まれていればよい。
【００４４】
｛第２の実施の形態｝
次に、本発明の第２の実施の形態に係るネットワーク複合機について説明する。本実施の形態に係るネットワーク複合機の構成は、図１に示すネットワーク複合機１の構成と同じである。また、本実施の形態に係るネットワーク複合機は、図２に示すフローチャートに基づいて、セキュリティプリントジョブの処理を実行する。
【００４５】
以下、本実施の形態に係るネットワーク複合機の動作について、上記第１の実施の形態に係るネットワーク複合機と異なる部分を中心に説明する。図４は、本実施の形態に係るネットワーク複合機が再起動した際の、セキュリティプリントジョブの処理を示すフローチャートである。
【００４６】
図４に示すように、ネットワーク複合機１の再起動後、プリンタ部１４が初期化を実行する（ステップＳ３１）。印刷ジョブ管理部１１３は、印刷ジョブメモリ１１２にスプールされている印刷ジョブを確認する（ステップＳ３２）。つまり、印刷ジョブ管理部１１３は、印刷ジョブメモリ１１２にスプールされた通常プリントの印刷ジョブを削除し、セキュリティプリントジョブのスプールを継続する。なお、ステップＳ３１およびステップＳ３２と、ステップＳ２１およびステップＳ２２（図３参照）とはそれぞれ対応する。
【００４７】
中断ジョブが発生していない場合（ステップＳ３３においてＮｏ）、ネットワーク複合機１は、図４に示す処理を終了し、ステップＳ１４（図２参照）に示す処理を実行する。一方、中断ジョブが発生している場合（ステップＳ３３においてＹｅｓ）、メール部１５は、中断ジョブが発生し、中断ジョブを削除したこと通知する削除メッセージを作成する（ステップＳ３４）。
【００４８】
印刷ジョブ管理部１１３は、中断ジョブを印刷ジョブメモリ１１２から削除する（ステップＳ３５）。その後、メール部１５は、中断ジョブを送信したユーザのメールアドレスを送信先として、削除メッセージをメールで送信する（ステップＳ３６）。そして、ネットワーク複合機１は、図４に示す処理を終了し、ステップＳ１４（図２参照）に示す処理を実行する。
【００４９】
このように、本実施の形態に係るネットワーク複合機は、電源が強制的に切られることによって発生した中断ジョブを削除するとともに、中断ジョブを送信したユーザに対して中断ジョブを削除したことをメールで通知する。これにより、ネットワーク複合機が再起動した際に、中断ジョブが自動的に再開されることを防ぐことができる。また、本実施の形態に係るネットワーク複合機は、再起動した段階で中断ジョブを削除するため、ＲＡＭの容量を確保しやすくなる。
【００５０】
なお、本実施の形態において、印刷ジョブ管理部１１３は、中断ジョブに含まれる画像データをユーザフォルダ１６１に保存してもよい。この場合、メール部１５は、削除メッセージに、画像データの保存先のフォルダおよび保存した画像データのファイル名を記載する。これにより、中断ジョブを送信したユーザは、ユーザフォルダ１６１に保存された画像データを用いて、削除された中断ジョブを容易に復元することができる。
【００５１】
また、上記第１の実施の形態と同様に、印刷ジョブ管理部１１３は、ユーザフォルダ１６１に削除メッセージを保存してもよい。
【００５２】
また、上記第１の実施の形態と同様に、中断ジョブを送信したユーザが本体操作部を操作してネットワーク複合機１にログインした際に、ユーザ情報管理部１１１が中断ジョブの削除を示すポップアップをタッチパネル式ディスプレイ１３に表示させてもよい。また、中断ジョブを送信したユーザがウェブブラウザなどを介してネットワーク複合機１にログインした際に、ユーザ情報管理部１１１が、中断ジョブの削除を示すポップアップをブラウザ上に表示させてもよい。
【符号の説明】
【００５３】
１  ネットワーク複合機
１１  制御部
１２  操作部
１３  タッチパネル式ディスプレイ
１４  プリンタ部
１５  メール部
１１１  ユーザ情報管理部
１１２  印刷ジョブメモリ
１１３  印刷ジョブ管理部
【図１】
2011063027.tif 000003
【図２】
2011063027.tif 000004
【図３】
2011063027.tif 000005
【図４】
2011063027.tif 000006